(57)【要約】      （修正有）【課題】収蔵されている種子を発芽させるのに従来の種子収蔵ハガキのように一旦水に浸して発芽させた後に土中に埋めるといった手間と時間を要することなく、直接種子を収蔵したシートを土中に埋めて発芽、生育させることができ、また友人等から貰ったハガキを植物栽培のために消滅させてしまうこともないものを提供することをその課題としている。【解決手段】封筒２内に、少なくとも文字記入シート３と植物の種子を収蔵した種子収蔵シート４とを収納した。また、封筒２内にさらに装飾シート５を収納した種子収蔵シート付き封筒セットで課題を解決した。【選択図】図１
0003129590.tif 000002
【実用新案登録請求の範囲】
【請求項１】
封筒内に、少なくとも文字記入シートと植物の種子を収蔵した種子収蔵シートとを収納してなることを特徴とする種子収蔵シート付き封筒セット。
【請求項２】
封筒内にさらに装飾シートを収納したことを特徴とする請求項１記載の種子収蔵シート付き封筒セット。
【請求項３】
封筒は全体または少なくとも一部が透明であることを特徴とする請求項1または２記載の種子収蔵シート付き封筒セット。
【請求項４】
種子収蔵シートを文字記入シートと装飾シートとで挟むようにして封筒に収納したことを特徴とする請求項２または３記載の種子収蔵シート付き封筒セット。
【請求項５】
種子収蔵シートは、和紙を漉く際に種子を入れて形成した和紙からなるものであることを特徴とする請求項1、２、３または４記載の種子収蔵シート付き封筒セット。
【請求項６】
植物の種子は、花 、果物、野菜、草、または樹木の種子であることを特徴とする請求項1、２、３、４または５記載の種子収蔵シート付き封筒セット。
【請求項７】
種子収蔵シートと装飾シートとを仮止め手段で一端部を仮止めしたことを特徴とする請求項２、３、４、５または６記載の種子収蔵シート付き封筒セット。
【考案の詳細な説明】
【技術分野】
【０００１】
本考案は、直接土中に埋設することによって植物の種子を短期間に容易に発芽させて生育させる種子収蔵シートを添付した種子収蔵シート付き封筒セットに関するものである。
【背景技術】
【０００２】
従来から郵便ハガキに収蔵されている植物の種子を、郵便ハガキとして使用後に発芽させて植物を栽培できるようにした種子収蔵ハガキが販売されている。この従来の種子収蔵ハガキ１１（図５）は、和紙を漉く際に花や果物などの植物の種子１２を、漉いた和紙と和紙との間に挟むようにして収蔵し、容易に折れ曲がったり型崩れしたりしないように官製ハガキよりも少し厚く形成してある。そしてこの種子収蔵ハガキ１１には、「水にひたして芽がでたら土にうえかえて下さい。」と端の方に小さく印刷されている。販売する場合は、この種子収蔵ハガキ１１を透明の薄い袋に入れて販売されている。
【０００３】
この種子収蔵ハガキ１１を購入した人は、この種子収蔵ハガキ１１を使って友達等に旅先から便りを出したり、或いは暑中見舞いハガキや年賀ハガキ等として使用している。
【０００４】
種子収蔵ハガキ１１で便りを貰った人は、その後、折角だから種子収蔵ハガキ１１に収蔵されている種子１２を栽培して生育するのを楽しもうと思う。この場合、種子収蔵ハガキ１１は、官製の郵便ハガキに比べて上記したように和紙で厚く形成されているため土に直接埋めてもなかなか腐食しない。そのため、一旦、水を入れた皿１３等（図６）に種子収蔵ハガキ１１を浸し、ハガキ自体が水を含んで腐食し易いようにすると共に種子１２が少し発芽するまでこの状態を維持する。種子１２が発芽したら水を含んでふやけた種子収蔵ハガキ１１を土中に埋め、発芽した種子１２が順調に生育するように肥料等を与えて栽培している（図７）。
【考案の開示】
【考案が解決しようとする課題】
【０００５】
しかしながら従来の種子収蔵ハガキ１１では、この種子収蔵ハガキ１１で便りを貰った人が収蔵されている種子１２を発芽させて生育させるために、厚くて腐食し難い種子収蔵ハガキ１１を上記したように一旦水を入れた皿１３等に浸し、ハガキ自体に水を含んで腐食し易いようにした後に発芽を待って土に埋め種子１２を生育させる、といった過程をふまなければならなかった。そのため、種子１２を早く生育させて果実や花を見たいと思う人にとっては、一旦水に浸し、その後に土に埋め戻して栽培するといったことは、水に種子収蔵ハガキ１１を浸している間は毎日観察していなければならず、忙しい人にとっては煩わしく手間と時間のかかることであった。
【０００６】
また、種子１２を発芽させて生育させるために友人等から貰った種子収蔵ハガキ１１を、土に生めて消滅させてしまうのは何とも心苦しいことである。
【０００７】
本考案は上記したような点に鑑みて開発したものであり、収蔵されている種子を発芽させるのに従来の種子収蔵ハガキのように一旦水に浸して発芽させた後に土中に埋めるといった手間と時間を要することなく、直接種子を収蔵したシートを土中に埋めて発芽、生育させることができ、また友人等から貰った便りを植物栽培のために消滅させてしまうこともないものを提供することをその課題としている。
【課題を解決するための手段】
【０００８】
上記課題を解決するために、本考案の第１の種子収蔵シート付き封筒セットは、封筒内に、少なくとも文字記入シートと植物の種子を収蔵した種子収蔵シートとを収納したものである。
【０００９】
本考案の第２の種子収蔵シート付き封筒セットは、第１の種子収蔵シート付き封筒セットにおいて、封筒内にさらに装飾シートを収納したものである。
【００１０】
本考案の第３の種子収蔵シート付き封筒セットは、第１または第２の種子収蔵シート付き封筒セットにおいて、封筒は全体または少なくとも一部が透明のものである。
【００１１】
本考案の第４の種子収蔵シート付き封筒セットは、第２または第３の種子収蔵シート付き封筒セットにおいて、種子収蔵シートを文字記入シートと装飾シートとで挟むようにして封筒に収納したものである。
【００１２】
本考案の第５の種子収蔵シート付き封筒セットは、第１、第２、第３または第４の種子収蔵シート付き封筒セットにおいて、種子収蔵シートは、和紙を漉く際に種子を入れて形成した和紙からなるものである。
【００１３】
本考案の第６の種子収蔵シート付き封筒セットは、第１、第２、第３、第４または第５の種子収蔵シート付き封筒セットにおいて、植物の種子は、花 、果物、野菜、草、または樹木の種子からなるものである。
【００１４】
本考案の第７の種子収蔵シート付き封筒セットは、第２、第３、第４、第５または第６の種子収蔵シート付き封筒セットにおいて、種子収蔵シートと装飾シートとを仮止め手段で一端部を仮止めしたものである。
【考案の効果】
【００１５】
本考案の第１の種子収蔵シート付き封筒セットは、封筒内に、少なくとも文字記入シートと、種子収蔵シートを収納したものであり、この封筒セットを購入したひとは、封筒から文字記入シートを取り出して、この文字記入シートに所望の文書を記入して再び封筒に戻し、封筒を封じて宛名や差出人の郵便番号、住所、氏名を封筒に記入して友人等に郵送する。この封筒を受取ったひとは開封して中の文字記入シートと種子収蔵シートを取り出し、文字記入シートに記入されている友人からの便り等を読んだ後は、一般の郵便ハガキと同じようにこの文字記入シートを机の引き出し等の中に保管しておけばよい。一方、この同封されていた種子収蔵シートは、そのまま土中に直接埋めることにより手間をかけることなく簡単に収蔵の種子を発芽させて育てることができる。
【００１６】
本考案の第２の種子収蔵シート付き封筒セットは、封筒内にさらに装飾シートを収納したものであり、この装飾シートに、種子収蔵シートに収蔵されている種子の生育したした際の絵や写真を印刷しておけば、この封書を受取ったひともすぐに種子の種類が判り生育するのを楽しみにして栽培することができる。
【００１７】
本考案の第３の種子収蔵シート付き封筒セットは、封筒は全体または少なくとも一部が透明のものであるので、例えば文字記入シートの片面と対峙する封筒の面を開口してこの箇所に透明シートを設けて塞いでおけば、透明シートと対峙っする文字記入シートの片面（表面）に宛名や差出人の郵便番号、住所、氏名を記入し、裏面に所望の文書を記入し封筒に記入し、この文字記入シートを再び封筒に戻して封筒を封じ封筒の所定箇所に切手をはれば、簡単に友人等に郵送することができる。また、封筒の裏面側を透明にしておけば、装飾シートに印刷された花の絵や写真を外からみることができ、この封筒を受取ったひとは楽しみながら開封して中の文字記入シートや種子収蔵シートを取り出すことができる。
【００１８】
本考案の第４の種子収蔵シート付き封筒セットは、種子収蔵シートを文字記入シートと装飾シートとで挟むようにして封筒に収納したものであるので、種子収蔵シートは文字記入シートと装飾シートとで挟まれて保護され郵送中に、種子収蔵シートに収蔵されている種子が傷められるのを保護することができる。また、封筒の裏面等が透明である場合は装飾シートが封筒の裏面側に位置することにより、種子収蔵シートが外からは見えず封筒の美観を損ねることもない。
【００１９】
本考案の第５の種子収蔵シート付き封筒セットでは、種子収蔵シートは和紙を漉く際に種子を入れて形成した和紙からなるものであり、従来の種子収蔵ハガキのようにハガキとして使用するものではないので薄く形成したものでもよく、水に溶けたり腐食し易く、直接土中に埋めてすばやく栽培することができる。また、従来の種子収蔵ハガキのように厚く形成する必要もないので製造・販売価格を低減させることができる。
【００２０】
本考案の第６の種子収蔵シート付き封筒セットにおいては、植物の種子は、花 、果物、野菜、草、または樹木の種子からなるものであるので、楽しみながら種子を生育させることができる。勿論、種子収蔵シートや装飾シートまたは文字記入シートに、種子収蔵シートの種子の種類を記載しておいて、記載されている植物が育つのを楽しみに栽培するのもよい。
【００２１】
本考案の第７の種子収蔵シート付き封筒セットにおいては、種子収蔵シートと装飾シートとを仮止め手段で一端部を仮止めしたものであるので、装飾シートに種子収蔵シートに収蔵されている種子が生育した時の絵や写真が印刷してある場合は、装飾シートと種子収蔵シートとの一端部を仮止め手段で仮止めした状態で、種子収蔵シートに対して直角方向に仮止め箇所を基点に装飾シートを折り曲げ、種子収蔵シートを水平にして土中に埋めると共に、装飾シートを土中から外に突き出すようにしておけば、どんな種類の植物がその場所で栽培しているかが一目でわかる。
【考案を実施するための最良の形態】
【００２２】
以下、添付の図面と共に、本考案の最良の実施形態について説明する。
図1は本考案の一実施形態に係る種子収蔵シート付き封筒セットの分解斜視図、図２は本考案の一実施形態に係る種子収蔵シート付き封筒セットの斜視図、図３は本考案の一実施形態に係る種子収蔵シートを土中に埋めた状態の説明図、図４は土中に埋めた種子収蔵シートの種子から発芽した状態の説明図である。
【００２３】
図１に示すように本考案の一実施形態に係る種子収蔵シート付き封筒セット１（以下、封筒セット１）は、封筒２と、文字記入シート３と、種子収蔵シート４と、装飾シート５とからなる。
【００２４】
図示の例の封筒セット１は、文字記入シート３、種子収蔵シート４、および装飾シート５を封筒２の中に入れた構成から成るものである。勿論、本考案の封筒セット１においては、封筒２の中に文字記入シート３と種子収蔵シート４を入れた構成のものであってもよい。
【００２５】
図示の封筒２は、透明な樹脂シートで形成されたものであり、一端部に蓋部６を形成して開閉できるようにしてあり、蓋部６の内面側に着脱可能な粘度を有する接着剤７が塗布されている。この封筒２の場合は全体を透明にしてあるが、紙や樹脂シートで全体を不透明に形成したもの、或いは文字記入シート３の表面３ａと対峙する封筒２の片面２ａ側全体または一部を透明としその他の部分は不透明にしたもの、または封筒２の両面２ａ、２ｂの一部を透明にしたものであってもよい。
【００２６】
文字記入シート３は、図示の例では官製の郵便ハガキを基準とした大きさの紙製のものであり、片面（表面３ａ）に相手方や差出人の郵便番号や住所や氏名等を記入し、もう一方の片面（裏面３ｂ）に近況等の便りを知らせる文を記入できるようにしてある。勿論、文字記入シート３は、片面（表面３ａ）に宛名や文等を記載し、もう片面（裏面３ｂ）に各種の図柄や写真撮影された風景や花等の絵柄を印刷したものであってもよい。また、この文字記入シート３は、切手を貼れば通常の郵便ハガキとして使用することもできる。また、文字記入シート３は、ｐｏｓｔ  ｃａｒｄに限らず他の種類のカードであってもよく、さらに、大きさ、形状、色等は特に限定されるものではなく自由に決めたものであってよい。
【００２７】
種子収蔵シート４は、植物の種子８と和紙で形成されていて、製紙作業の漉き込み段階で、花 、果物、野菜、草、また樹木等の各種の植物の種子８を収蔵して四角形状の文字記入シートサイズ以下の大きさで、上記した従来の種子収蔵ハガキの厚さよりも薄く、乾燥させて形成したものである。勿論、種子収蔵シート４の形状は四角形状に限らず、丸形や三角形や楕円形等、その他の形状であってもよい。種子収蔵シート４自体はハガキとして使用するものではないので、従来の種子収蔵ハガキのように和紙で厚く形成しなくてもよく、従来の種子収蔵ハガキより薄く形成したものであっても何ら問題はない。寧ろ薄い方が水に溶けやすくて腐食しやすく土中に直接埋めて種子８を発芽させるのに好適である。
この種子収蔵シート４においては、種子８は適宜の数の複数個を適当な散らばりをもって全体に設けてある。種子間の配列や間隔に種子毎に所定の規則性を持たせて配してもよいが、図示の例では不規則に種子８を配している。なお、種子収蔵シート４に設ける種子８は１個であってもよい。
【００２８】
装飾シート５は、一般的な紙または樹脂シートの片面または両面に各種の絵柄、たとえば風景や花等を印刷したもの、および／または各種の色を着色したもの、および／または文字、種子収蔵シート４に収蔵した種子の説明や栽培の手順等を文字で記載したものである。この装飾シート５の大きさは、文字記入シート３の大きさと同じまたはほぼ同じ大きさのものが好ましい。
【００２９】
上記した文字記入シート３、種子収蔵シート４、および装飾シート５は、種子収蔵シート４を文字記入シート３と装飾シート５とで挟むようにして封筒２に収納して販売する。また、種子収蔵シート４と装飾シート５とは、一端部をホッチキスや粘着テープ等の仮止め手段で仮止めし封筒２に収納して販売してもよい。
【００３０】
上記のような構成からなる封筒セット１においては、文字記入シート３を封筒２から一旦取り出し、文字記入シート３に上記したように必要事項や用件等を記入して再び封筒２に戻して蓋部６を閉じで封をし、封筒２の表面に切手を貼って通常の郵便物と同様にポストに投函すればよい。
【００３１】
この封筒セット１を受け取ったひとは、文字記入シート３に記載されている文面を読んだ後は、文字記入シート３は所望の場所に保管し、封筒２から種子収蔵シート４を取り出して植木鉢やプランター等の土中に直接水平にして植え込み、必要に応じて水や肥料をやっておけば、手間取ることなく簡単に植え込み栽培することができる。
【００３２】
また、種子収蔵シート４と装飾シート５との一端部が仮止め手段で仮止めされている場合は、上記したように種子収蔵シート４に対して直角方向に仮止め箇所を基点に装飾シート５を折り曲げ、種子収蔵シート４を水平にして土中に埋め、装飾シート５を土中から外に突き出すようにしておけば、装飾シート５に印刷された植物を確認することができ、植えた本人は勿論のこと他の人もどんな種類の植物がその場所で栽培しているかが一目で判り成長するのを楽しみにすることができる。
【００３３】
なお、本考案の封筒セット１において、封筒２が不透明の場合は、封筒２の表面２ａに相手の郵便番号や住所、氏名を書き、裏面に差出人の住所や氏名等を記載し、表面２ａに切手を貼って投函すればよい。その後の種子収蔵シート４の取り扱いは上記と同様である。
【００３４】
以上、本考案は、請求の範囲内で種々設計変更が可能である。
【図面の簡単な説明】
【００３５】
【図１】本考案の一実施形態に係る種子収蔵シート付き封筒セットの分解斜視図である。
【図２】本考案の一実施形態に係る種子収蔵シート付き封筒セットの斜視図である。
【図３】本考案の一実施形態に係る種子収蔵シートを土中に埋めた状態の説明図である。
【図４】土中に埋めた種子収蔵シートから発芽した状態の説明図である。
【図５】従来の種子収蔵ハガキの斜視図である。
【図６】従来の種子収蔵ハガキを水に浸けて発芽させた状態の説明図である。
【図７】従来の種子収蔵ハガキの種子を発芽させ後に土中に埋めた状態の説明図である。
【符号の説明】
【００３６】
１  種子収蔵シート付き封筒セット
２  封筒
３  文字記入シート
４  種子収蔵シート
５  装飾シート
８  種子
【図１】
0003129590.tif 000003
【図２】
0003129590.tif 000004
【図３】
0003129590.tif 000005
【図４】
0003129590.tif 000006
【図５】
0003129590.tif 000007
【図６】
0003129590.tif 000008
【図７】
0003129590.tif 000009